(57)【要約】【課題】主に、屋根面材間の防水ラインの連続性を維持・確保しつつ配線の取り回しを容易化できるようにする。【解決手段】互いに隣接配置された複数枚の屋根面材１１と、屋根面材１１の上面側に設置された電気機器１２と、屋根面材１１を隔てて隣接する電気機器１２間に設置されたカバー部１３と、カバー部１３の一部ごと屋根面材１１の露出部分を覆う化粧材１４と、を備えた屋根構造に関する。  カバー部１３に、電気機器１２から延びる配線２１を、隣接する屋根面材１１へと導く配線通過部２２を設けるようにする。  カバー部１３は、傾斜屋根部３１の水下側から水上側へ向かって延びるようにしても良い。  カバー部１３は、水上側に配線通過部２２を有する水上止水部材４１を備えても良い。【選択図】図５
2019027091.tif 000002
【特許請求の範囲】
【請求項１】
互いに隣接配置された複数枚の屋根面材と、
該屋根面材の上面側に設置された電気機器と、
前記屋根面材を隔てて隣接する前記電気機器間に設置されたカバー部と、
該カバー部の一部ごと前記屋根面材の露出部分を覆う化粧材と、を備えた屋根構造において、
前記カバー部に、前記電気機器から延びる配線を、隣接する前記屋根面材へと導く配線通過部を設けたことを特徴とする屋根構造。
【請求項２】
請求項１に記載の屋根構造において、
前記屋根面材は、一端が水下側となり、他端が水上側となるように、斜め上下方向へ傾斜配置された状態で横に並設されることで、傾斜屋根部を構成していることを特徴とする屋根構造。
【請求項３】
請求項２に記載の屋根構造において、
前記カバー部は、前記傾斜屋根部の水下側から水上側へ向かって延びることを特徴とする屋根構造。
【請求項４】
請求項２または請求項３に記載の屋根構造において、
前記カバー部は、水上側に前記配線通過部を有する水上止水部材を備えていることを特徴とする屋根構造。
【請求項５】
請求項１ないし請求項４のいずれか１項に記載の屋根構造において、
前記水上止水部材と、前記屋根面材との間に、互いに係合可能な係合部を有することを特徴とする屋根構造。
【請求項６】
請求項１ないし請求項５のいずれか１項に記載の屋根構造において、
前記水上止水部材は、前記係合部に止水材を有していることを特徴とする屋根構造。
【請求項７】
請求項１ないし請求項６のいずれか１項に記載の屋根構造において、
前記屋根面材は、前記配線を内外面間に貫通可能な配線貫通部を有していることを特徴とする屋根構造。
【請求項８】
請求項１ないし請求項７のいずれか１項に記載の屋根構造を備えたことを特徴とする建物。
【発明の詳細な説明】
【技術分野】
【０００１】
この発明は、屋根構造および建物に関するものである。
【背景技術】
【０００２】
例えば、戸建て住宅などの建物の屋根に対して、太陽電池パネルなどの電気機器を設置することが行われている（例えば、特許文献１〜特許文献５参照）。
【０００３】
屋根に電気機器を設置する場合、電気機器から延びる配線はその多くが屋根面に沿って取り回されている。
【先行技術文献】
【特許文献】
【０００４】
【特許文献１】特開昭５９−７７２５３号公報
【特許文献２】特開２００２−３３２７２０号公報
【特許文献３】特開２０１４−５７０７号公報
【特許文献４】特開２０１６−１３８３８６号公報
【特許文献５】特開平１０−１２１６８８号公報
【発明の概要】
【発明が解決しようとする課題】
【０００５】
このような、屋根に電気機器を設置した建物では、電気機器から延びる配線の取り回しに手間がかかるという問題があった。また、配線の取り回しは、屋根の構造や屋根に対する電気機器の設置構造に依存したものとなっているため、定まった配線の取り回し構造が確立されておらず、個別化していた。
【０００６】
そして、例えば、予め電気機器を設置した屋根面材を建築現場で複数枚並べて屋根を構成するような建物の場合に、屋根面材間に設けられる防水ライン（の連続性）を妨げることなく配線を容易に取り回すことができる構造が求められる。なお、特許文献１および特許文献２は、太陽電池パネルを備えた屋根に関するものであるが、配線の取り回しについては不明となっている。特許文献３は、配線を屋内へ引き込む構造を備えているが、屋根面材間の配線の取り回しについては不明となっている。特許文献４および特許文献５のものは、配線を通すための専用の構造を備えているが、構造が複雑で見栄えが良くなかった。
【０００７】
そこで、本発明は、主に、上記した問題点を解決することを目的としている。
【課題を解決するための手段】
【０００８】
上記課題を解決するために、本発明は、互いに隣接配置された複数枚の屋根面材と、該屋根面材の上面側に設置された電気機器と、前記屋根面材を隔てて隣接する前記電気機器間に設置されたカバー部と、該カバー部の一部ごと前記屋根面材の露出部分を覆う化粧材と、を備えた屋根構造において、前記カバー部に、前記電気機器から延びる配線を、隣接する前記屋根面材へと導く配線通過部を設けたことを特徴とする。また、上記屋根構造を備えた建物を特徴とする。
【発明の効果】
【０００９】
本発明によれば、上記構成によって、屋根面材間の防水ラインの連続性を維持・確保しつつ配線の取り回しを容易化できるようになる。
【図面の簡単な説明】
【００１０】
【図１】本実施の形態にかかる屋根構造の全体斜視図である。
【図２】図１のＡ−Ａ線に沿った断面図である。
【図３】図１の傾斜屋根部の部分拡大斜視図である。
【図４Ａ】図３のＢ−Ｂ線に沿った断面図である。
【図４Ｂ】カバー部を取付けた後の状態を示す図４Ａと同様の断面図である。
【図４Ｃ】図４Ａの変形例を示す断面図である。
【図５】傾斜屋根部における配線の取り回し状態を示す図である。
【図６】図５のＣ部分の拡大斜視図である。
【図７】図６のＤ部分を拡大した縦断面図である。
【図８】水上止水部材の取付け状態を示す部分拡大斜視図である。
【図９】カバー部材の部品図である。このうち、（ａ）は平面図、（ｂ）は側面図、（ｃ）は（ｂ）のＥ部分の拡大図、（ｄ）は（ｂ）のＦ−Ｆ線に沿った断面図である。
【図１０】水上止水部材の部品図である。このうち、（ａ）は斜視図、（ｂ）は側面図、（ｃ）は平面図である。
【図１１】係合部を係合させる状態を示す側面図である。
【図１２Ａ】水上止水部材の係合部をコーキングする状態を示す斜視図である。
【図１２Ｂ】水上止水部材の配線通過部の裏面側をコーキングする状態を示す斜視図である。
【図１２Ｃ】図１２Ｂの変形例を示す斜視図である。
【発明を実施するための形態】
【００１１】
以下、本実施の形態を、図面を用いて詳細に説明する。
図１〜図１２Ｃは、この実施の形態およびその変形例を説明するためのものである。
【実施例１】
【００１２】
＜構成＞以下、構成について説明する。
【００１３】
図１（および図２の断面図）は、戸建て住宅などの建物１を示すものである。この建物１は、建物本体２の上部に屋根３を備えている。屋根３は、複数の屋根部４〜８で構成されている。
【００１４】
上記した屋根３（の屋根部４〜８、例えば、屋根部６）の構造（屋根構造）は、図３（〜図４Ｂ）に示すように、互いに隣接配置された複数枚の屋根面材１１と、屋根面材１１の上面側に設置された電気機器１２と、屋根面材１１を隔てて隣接する電気機器１２間に設置されたカバー部１３と、カバー部１３の一部ごと屋根面材１１の露出部分を覆う化粧材１４（図１、図２参照）と、を備えたものなどとなっている。
【００１５】
ここで、屋根面材１１は、例えば、図４Ａに示すように、屋根下地材１５の上面に樹脂製のルーフィング材１６を葺き、その上を下地鋼板１７で覆ったもの（屋根パネル）などとされている。屋根面材１１は、予め工場で製造される。そして、屋根面材１１は、建築現場で屋根３に設置される。屋根面材１１間には、所要の隙間１８が形成される。
【００１６】
電気機器１２は、太陽電池パネルなどとすることができる。電気機器１２の大部分は、予め工場で屋根面材１１に取付けられる。電気機器１２は、少なくとも１つの屋根部４〜８に設置することができる。
【００１７】
カバー部１３は、屋根面材１１の側縁部に最も近い位置に設置された電気機器１２の外側部間に設置される。
【００１８】
屋根面材１１の露出部分は、電気機器１２が設置されずに屋根面材１１のみとなっている部分や、電気機器１２と電気機器１２との間から見える屋根面材１１の部分などであり、例えば、屋根部４〜８の水上側や水下側の端縁部の位置などに形成される。化粧材１４は、屋根部４〜８の端縁部に対して、カバー部１３の端部などを覆うように設置される。
【００１９】
そして、以上のような基本的または全体的な構成に対し、この実施例は、以下のような構成を備えている。
【００２０】
（１）図５（〜図７）に示すように、カバー部１３に、電気機器１２から延びる配線２１を、隣接する屋根面材１１へと導く配線通過部２２を設ける。
【００２１】
ここで、図５に示すように、配線２１は、電気機器１２間を直列に接続するものとされている。配線２１は、各屋根部４〜８に対して例えば、複数系統（例えば、二系統）に分けて設けることができる。そして、工場で屋根面材１１に電気機器１２を設置する際に、屋根面材１１の各電気機器１２から延びる配線２１を予め直列に接続しておく。直列に接続された配線２１は、屋根面材１１の上面と電気機器１２の下面側との間にできる空間にて取り回される。建築現場では、屋根部４〜８に屋根面材１１を設置した後に、屋根面材１１間の配線２１の接続を行う。
【００２２】
この際、破線ａで示すように、配線２１どうしを配線通過部２２が設けられていない状態で最短距離に接続すると、配線２１の接続部分が外部からムキ出しになって外観品質が低下するおそれがあると共に、屋根面材１１間に設けられる防水ラインの連続性が破壊されるおそれが生じる。
【００２３】
そこで、外観品質の低下を防止しつつ、防水ラインの連続性を維持・確保できるように配線通過部２２を設けて、配線２１の接続部分などを、配線通過部２２を通して隣接する屋根面材１１へと導き得るようにする。図６（図７）に示すように、配線通過部２２は、カバー部１３に部分的に設けられた、屋根面材１１側または下方に凹む凹所などとすることができる。この凹所は、配線２１の接続部分などをカバー部１３と交差する方向へ導くものとされる。
【００２４】
特に、配線通過部２２は、化粧材１４で覆い隠される位置、例えば、カバー部１３の端部の位置などに設けるのが好ましい。
【００２５】
（２）図１に示すように、屋根面材１１は、一端が水下側となり、他端が水上側となるように、斜め上下方向へ傾斜配置された状態で横に並設されることで、傾斜屋根部３１を構成するものとしても良い。
【００２６】
ここで、屋根３は、屋根部４を水平屋根部３２とすると共に、屋根部５〜８を傾斜屋根部３１としている。そして、矩形状の水平屋根部３２の周囲を、台形状の傾斜屋根部３１で取り囲むようにしている。台形状の傾斜屋根部３１は、平面視矩形状の屋根面材１１（矩形屋根面材１１ａ）と、平面視三角形状の屋根面材１１（三角屋根面材１１ｂ）とで構成されている。但し、屋根３の構成は、上記に限るものではない。
【００２７】
そして、上記した化粧材１４は、水平屋根部３２と傾斜屋根部３１との境界部（棟部）に取付けられる。また、別の化粧材３４が隣接する傾斜屋根部３１間の境界部（下がり棟部）に取付けられる。
【００２８】
なお、図２では、化粧材１４は、化粧材受金具３５，３６などを用いて、水平屋根部３２と傾斜屋根部３１との間に跨るように取付けられている。
【００２９】
（３）図１（図３）に示すように、カバー部１３は、傾斜屋根部３１の水下側から水上側へ向かって延びるようにしても良い。
【００３０】
ここで、カバー部１３は、傾斜屋根部３１における、平面視矩形状の屋根面材１１（矩形屋根面材１１ａ）間や、平面視矩形状の屋根面材１１（矩形屋根面材１１ａ）と平面視三角形状の屋根面材１１（三角屋根面材１１ｂ）との間などに、電気機器１２の表面にほぼ沿ってほぼ斜め上下方向に設置されている（傾斜状カバー部）。配線通過部２２は、図５に示すように、少なくとも、同一系統の配線２１が跨ぐ屋根面材１１間のカバー部１３に設けられる。例えば、平面視矩形状の屋根面材１１と平面視三角形状の屋根面材１１との間に設置されたカバー部１３に対して配線通過部２２を設けるようにする。なお、配線２１が跨がない屋根面材１１間のカバー部１３については、配線通過部２２は特に設ける必要がない。
【００３１】
（４）図８に示すように、カバー部１３は、水上側に配線通過部２２を有する水上止水部材４１を備えても良い。
【００３２】
ここで、カバー部１３は、図９に示すような長尺のカバー部材４２で主に構成されている。そして、このカバー部材４２の水上側に、図１０に示すような水上止水部材４１を別部材として設けるようにしている。
【００３３】
水上止水部材４１は、電気機器１２の表面とほぼ面一となるように設置される頂面部４１ａと、この頂面部４１ａの両側部から（図中下側）へ向けて延びる左右の側面部４１ｂとを有するほぼＵ字断面のものとされる。そして、水上止水部材４１は、水上側に配線通過部２２となる段差状の凹所が設けられている。凹所は、配線２１を数本まとめて通すことができる幅（上下方向長さ）および深さとなるように、頂面部４１ａの水上側部分が屋根面材１１側（下側）へ向かって屈曲する縦面部２２ａ（段部）と、縦面部の下端側から水上側へ向かって頂面部４１ａと平行に屈曲する横面部２２ｂ（段差面部）とで形成されている。横面部の両側部には、側面部４１ｂよりも高さの低い側面部２２ｃが屈曲形成されている。このような水上止水部材４１の本体部分は、１枚の金属板を曲げることによって形成することができる。
【００３４】
一方、カバー部材４２は、図３に示すように、隣接する屋根面材１１の側縁部間の位置に、屋根面材１１の側縁部に沿って、屋根面材１１の側縁部とほぼ同じか若干短い長さで延びるものとされる。カバー部材４２は、図４Ａ（図４Ｂ）に示すように、電気機器１２の表面とほぼ面一に設置される頂面部４２ａと、この頂面部４２ａの両側部から屋根面材１１側（図中下側）へ向けて延びる左右の側面部４２ｂとを有するほぼＵ字断面のものとされる。このようなカバー部材４２の本体部分は、１枚の金属板を曲げることによって形成することができる。
【００３５】
カバー部材４２の頂面部４２ａの屋根面材１１側（図中下側）の面には、エプトシーラーブチル材などのような住宅用に使われる厚手の止水材４２ｃが長手方向のほぼ全域に沿って連続して取付けられている。この止水材４２ｃは、隣接する屋根面材１１間の防水ラインを構成するものとなる。この止水材４２ｃは、両面テープなどとされている。また、カバー部材４２の水下側の端部近傍などには、図３（図９）に示すように、頂面部４２ａの表面に上記と同様の止水材４２ｄなどを部分的に取付けるようにしても良い。
【００３６】
そして、カバー部１３を取付けるために、図４Ａ（図４Ｂ）に示すように、屋根面材１１の下地鋼板１７（の隣接する屋根面材１１側）の側縁部には、隣接方向４３の最も外側に位置する電気機器１２の側面を隣接方向４３の外側から覆う立上部１７ａを一体に設けている。立上部１７ａは、電気機器１２の裏面とほぼ同じ高さかそれに近い高さなどとすることができる。そして、この立上部１７ａにカバー部材４２を受けるための受金具４４が取付けられている。
【００３７】
受金具４４は、立上部１７ａの上端部に、カバー部材４２の頂面部４２ａを下面側から受ける（または、止水材４２ｃを貼り付ける）ための受部４４ａを有する部材とされる。受部４４ａは、頂面部４２ａと平行な面とされる。受金具４４は、立上部１７ａにリベットなどの固定具４５を用いて取付け固定される。受金具４４は、隣接する屋根面材１１における隣接方向４３の外側に位置する電気機器１２の側面間の距離が、例えば、電気機器１２の取付枠部１２ａの厚み程度となる場合（即ち、距離が短い場合）には、立上部１７ａに当接配置可能な縦面部４４ｂと、屋根面材１１や下地鋼板１７の面に当接配置可能な横面部４４ｃとを有するほぼＬ字状のもの（アングル材）などとすることができる。
【００３８】
また、受金具４４は、隣接する屋根面材１１における隣接方向４３の外側に位置する電気機器１２の側面間の距離が、例えば、電気機器１２の取付枠部１２ａの厚みなどよりも大きい場合（即ち、距離が長い場合）には、図４Ｃに示すように、屋根面材１１の縁部に達するまで上記した縦面部４４ｂと横面部４４ｃとを交互に繰り返し形成したほぼ矩形波状のもの（波板）などを使うことができる。なお、受金具４４を矩形波状とした場合には、これに合わせて幅広のカバー部材４２や幅広の水上止水部材４１（図１２Ｃ参照）を用いるようにする。
【００３９】
そして、図８に示すように、カバー部材４２の水上側の端部に、一部が重なるように水上止水部材４１を上から設置して（または嵌着して）上からネジなどの固定具４６で固定し、ネジの頭部をコーキング材６４でコーキングして止水する。なお、下地鋼板１７の立上部１７ａおよび受金具４４は、配線通過部２２と干渉しないように、カバー部材４２とほぼ同じ長さにして、配線通過部２２の下側には存在しないようにする。即ち、配線通過部２２の下側に、立上部未形成部分や受金具非設置部分を設けるようにする。水上止水部材４１は、最終的に化粧材１４によって覆い隠すようにする。
【００４０】
（５）図１１に示すように、水上止水部材４１と、屋根面材１１との間に、互いに係合可能な係合部５１，５２を有しても良い。
【００４１】
ここで、係合部５１，５２は、屋根面材１１の水上側の端縁部に取付けた水上受鋼板５３のＬ字状をした部分（係合部５１）と、水上止水部材４１の水上側の端部に設けたフック状の部分（係合部５２）とによって構成されている。
【００４２】
水上受鋼板５３は、屋根面材１１の水上側の端縁部に沿って取付けられる部材である。水上受鋼板５３の係合部５１は、屋根面材１１から立ち上がる縦面部５１ａと、縦面部５１ａの上縁部から水下側へ向かって屋根面材１１と平行に延びる横面部５１ｂとを有している。縦面部５１ａは、カバー部材４２の頂面部４２ａなどとほぼ同じ高さとされる。水上受鋼板５３の横面部５１ｂは、配線２１を通せる隙間を残して配線通過部２２の上部を覆う長さとされる。
【００４３】
また、水上止水部材４１は、水上側の端部に係合部５２を備えており、係合部５２は、水上受鋼板５３の係合部５１の内側に嵌まり込む縦面部５２ａと横面部５２ｂとを有している。縦面部５２ａは、水上受鋼板５３の縦面部５１ａよりも若干低く形成される。横面部５２ｂは、水上受鋼板５３の横面部５１ｂよりも短く形成される。そして、水上止水部材４１をほぼ縦向きにして、水上止水部材４１の係合部５２を、水上受鋼板５３の係合部５１内へ上から差し込み、水上止水部材４１をカバー部材４２の水上側の端部に被せるように回動することで、係合部５１，５２が係合されるようになっている。
【００４４】
（６）図１２Ａ（〜図１２Ｃ）に示すように、水上止水部材４１は、係合部５２に止水材６１を有しても良い。
【００４５】
ここで、止水材６１は、係合部５２の縦面部５２ａや横面部５２ｂの外面側に取付けたエプトシーラーブチルなどのような住宅用に使われる止水用の部材を用いることができる。なお、水上止水部材４１には、頂面部４１ａの内面や配線通過部２２の内面などにもカバー部材４２の止水材４２ｃと同様の止水材４１ｃを設けることができる（図１２Ｂ）。止水材６１や止水材４１ｃは、両面テープなどで構成することができる。止水材６１を取付けた場合には、係合部５２は、止水材６１の厚みなどの分だけ係合部５１よりも小さめに形成する。
【００４６】
また、水上止水部材４１を取付ける際には、係合部５２の縦面部５２ａや横面部５２ｂ（の止水材６１）の外面側や、配線通過部２２の内面側（の止水材４１ｃ）などをコーキング材６４でコーキングすることができる。
【００４７】
なお、図１２Ｃに示すような幅広の水上止水部材４１を、図４Ｃに示すような波板状の受金具４４や幅広のカバー部材４２に対して設置する場合についても、図１２Ａ、図１２Ｂと同様にコーキングを行うことができる。
【００４８】
（７）図６に示すように、屋根面材１１は、配線２１を内外面間に貫通可能な配線貫通部７１を有しても良い。
【００４９】
ここで、配線貫通部７１は、配線２１を小屋裏へ導き得るようにするために設けるものである。配線貫通部７１は、例えば、平面視三角形状をした屋根面材１１（三角屋根面材１１ｂ）における水上側に位置する角部に切欠部を設けることなどによって形成することができる。配線貫通部７１は、化粧材１４によって覆い隠される位置に、化粧材１４で覆い隠せる大きさの範囲内で設けるようにする。
【００５０】
（８）そして、図１に示すように、建物１は、上記屋根構造を備えたものとしても良い。
【００５１】
ここで、建物１は、例えば、ユニット建物やその他の建物などとすることができる。ユニット建物は、予め工場で製造した複数の建物ユニット８１を建築現場へ搬送して、建築現場で組み立てることで短期間のうちに構築できるようにしたものである。そして、建物ユニット８１で構成した建物本体２の上部に上記した屋根構造を備えた屋根３を構築する。
【００５２】
屋根３は、例えば、建物本体２の上部に対し、図２に示すように、予め水平屋根部３２を設けた屋根ユニット８２を設置し、屋根ユニット８２の上部と建物本体２の上縁部との間に屋根フレーム８３を斜めに設置して、屋根フレーム８３に屋根面材１１を並設することで傾斜屋根部３１を構築したものなどとすることができる。
【００５３】
水平屋根部３２では、太陽電池パネルなどの電気機器１２は、銜え金具８４を用いて屋根面材１１に固定されている。銜え金具８４の周囲には、命綱固定金具８５や防鳥鋼板８６が適宜設置される。
【００５４】
また、傾斜屋根部３１では、太陽電池パネルなどの電気機器１２は、取付金具９１を用いて屋根面材１１に固定されている。そして、水平屋根部３２の屋根面材１１と傾斜屋根部３１の屋根面材１１との間には、上下方向の段差および水平方向の隙間が形成されており、この部分にルーフィング受水切９２を取付けてルーフィング材で覆うことで止水を行うようにしている。化粧材１４は、ルーフィング受水切９２およびルーフィング材の上側に取付けられており、化粧材１４と、ルーフィング受水切９２およびルーフィング材との間にできる空間には、配線２１を適宜配設できるようになっている。
【００５５】
＜作用＞以下、この実施例の作用について説明する。
【００５６】
建物本体２の上に屋根３を設けることで建物１が構成されている。そして、屋根３は、複数の屋根部４〜８で構成されている。
【００５７】
この実施例の屋根３（の屋根部４〜８）の構造（屋根構造）を、複数枚の屋根面材１１を互いに隣接配置した状態で、屋根面材１１を隔てて隣接する電気機器１２間にカバー部１３を設置すると共に、カバー部１３の一部ごと屋根面材１１の露出部分を化粧材１４で覆ったものとしている。
【００５８】
このように、隣接する屋根面材１１に設けられた電気機器１２間の隙間１８をカバー部１３で覆うことによって、カバー部１３で屋根構造の外観を見栄え良く整えることができる。また、カバー部１３の一部ごと屋根面材１１の露出部分を化粧材１４で覆うことによって、化粧材１４で屋根構造の外観を整えることができる。
【００５９】
そして、カバー部１３を防水カバーとすることで、隣接する屋根面材１１（の電気機器１２）間にカバー部１３にて防水ラインを構築することが可能になる。また、化粧材１４を防水材とすることで、屋根面材１１の露出部分を防水することが可能になる。
【００６０】
＜効果＞この実施例によれば、以下のような効果を得ることができる。
【００６１】
（効果１）隣接する屋根面材１１に設けた電気機器１２間に設置されたカバー部１３に対して配線通過部２２を設けるようにする。これにより、電気機器１２から延びる配線２１を、カバー部１３の配線通過部２２へ通すことで、配線２１を外部から見えないように隣接する屋根面材１１へと導くことが可能になる。よって、配線２１の屋根面材１１から屋根面材１１への取り回しが容易になると共に、配線２１の外部露出による屋根構造の見栄えの低下を防止可能となる。また、防水カバーとしたカバー部１３に配線２１を通すための配線通過部２２を予め設けておくことで、防水ラインの連続性を維持・確保しつつ配線通過部２２を設けることが可能となる。この際、配線通過部２２を、部分的な凹所とすることで、配線通過部２２を構造が簡単なものとすることができると共に、配線２１を外部から目立たないように凹所の内部へ収めることができる。特に、配線通過部２２を、化粧材１４で覆い隠される位置に設けることで、配線２１をより有利に隣接する屋根面材１１へと導くことが可能になる。
【００６２】
（効果２）複数枚の傾斜した屋根面材１１を横に並設することで傾斜屋根部３１を構成しても良い。これにより、上記したような、電気機器１２から延びる配線２１を、配線通過部２２を通して隣接する屋根面材１１へ導く構造を、傾斜屋根部３１に対して適用することができるようになり、傾斜屋根部３１における配線２１の取り回しが容易になると共に、傾斜屋根部３１における配線２１の外部露出による傾斜屋根部３１の見栄えの低下を防止することができる。また、防水カバーとしたカバー部１３に配線通過部２２を設けることで、傾斜屋根部３１に対しても防水ラインの連続性を維持・確保しつつ配線通過部２２を設けることが可能となる。
【００６３】
（効果３）カバー部１３を傾斜屋根部３１の水下側から水上側へ向かって延びるものとしても良い。これにより、屋根構造の外観を整えたり防水ラインを構築したりするためのカバー部１３を、傾斜屋根部３１の傾斜方向に沿って上下方向に設置することができ、カバー部１３を傾斜屋根部３１および傾斜屋根部３１を構成する屋根面材１１に適したものとすることができる。
【００６４】
（効果４）カバー部１３は、その水上側に、配線通過部２２を有する水上止水部材４１を備えても良い。これにより、カバー部１３の水上側の部分に水上止水部材４１を取付けることで、カバー部１３に容易且つ確実に配線通過部２２を設定することができる。
【００６５】
この際、水上止水部材４１をカバー部１３の水上側に設置することで、配線通過部２２の位置が傾斜屋根部３１の最も高い位置となるため、防水を行う上で最も適した位置に配線通過部２２を設置することができる。しかも、傾斜屋根部３１の水上側には化粧材１４が取付けられるので、配線通過部２２を化粧材１４で覆って防水することができる。
【００６６】
また、配線通過部２２を有する水上止水部材４１をカバー部１３の他の部分（カバー部材４２）と別に設けたことで、カバー部１３の他の部分の構成を簡略化すると共に、水上止水部材４１を、配線通過部２２を設けるのに適した構造にすることができ、全体としてカバー部１３を取扱いや施工や配線２１の取り回しが容易で、防水性も確保し易いものにすることができる。
【００６７】
（効果５）水上止水部材４１と屋根面材１１との間に係合部５１，５２を設けても良い。これにより、係合部５１，５２にて、屋根面材１１に水上止水部材４１を係合させることで、水上止水部材４１を簡単・確実に屋根面材１１に設置することができるようになる。
【００６８】
（効果６）水上止水部材４１は、係合部５１，５２に止水材６１を有しても良い。これにより、水上止水部材４１を、係合部５１，５２にて屋根面材１１に係合するだけで、止水材６１によって確実に係合部５１，５２の止水を行うことができるようになる。
【００６９】
（効果７）屋根面材１１は、配線貫通部７１を有しても良い。これにより、配線貫通部７１を通して屋根面材１１の内外面間に配線２１を貫通配置することが可能となり、配線２１の取り回しの自由度を増やすことができる。
【００７０】
（効果８）この実施例の建物１によれば、上記屋根構造を備えることによって、上記屋根構造と同様の作用効果を得ることができる。
【００７１】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００７２】
１      建物
３      屋根
１１    屋根面材
１２    電気機器
１３    カバー部
１４    化粧材
２１    配線
２２    配線通過部
３１    傾斜屋根部
４１    水上止水部材
５１    係合部
５２    係合部
６１    止水材
７１    配線貫通部
【図１】
2019027091.tif 000003
【図２】
2019027091.tif 000004
【図３】
2019027091.tif 000005
【図４Ａ】
2019027091.tif 000006
【図４Ｂ】
2019027091.tif 000007
【図４Ｃ】
2019027091.tif 000008
【図５】
2019027091.tif 000009
【図６】
2019027091.tif 000010
【図７】
2019027091.tif 000011
【図８】
2019027091.tif 000012
【図９】
2019027091.tif 000013
【図１０】
2019027091.tif 000014
【図１１】
2019027091.tif 000015
【図１２Ａ】
2019027091.tif 000016
【図１２Ｂ】
2019027091.tif 000017
【図１２Ｃ】
2019027091.tif 000018